(57)【特許請求の範囲】
【請求項１】
ベースシート（３１）と、
それぞれが移動可能に前記ベースシート（３１）に接続されていると共に、その内にある保持スペース（５４１）と、その外表面に形成されていて前記保持スペース（５４１）と空間的に連通しているガイド溝（５４２）とを有する２つの制限リンクアセンブリ（５４）と、
それぞれ移動可能に前記制限リンクアセンブリ（５４）の前記保持スペース（５４１）に保持された２つのヘッドピース（５５１）と、それぞれ前記制限リンクアセンブリ（５４）の前記ガイド溝（５４２）を通るように延伸していて且つそれぞれ前記ヘッドピース（５５１）に接続されている互いに反対の２つの端部を有するロープ本体（５５２）とを含み、各前記ヘッドピース（５５１）の幅が各前記ガイド溝（５４２）の幅及び前記ロープ本体（５５２）の幅よりも大きく、かつそれぞれのヘッドピース（５５１）が、対応する前記保持スペース（５４１）の大きさよりも小さく保持スペース（５４１）内において回転可能である、制限ロープ（５５）と、を具え、
各前記制限リンクアセンブリ（５４）の前記ガイド溝（５４２）は、第１の溝部（５４７）と第２の溝部（５４８）を有し、前記ロープ本体（５５２）がそこを通るように延伸でき、
前記制限リンクアセンブリ（５４）同士が互いに向かって移動されると、前記制限リンクアセンブリ（５４）が前記制限ロープ（５５）の前記ヘッドピース（５５１）同士を互いに向かって移動させることで前記ロープ本体（５５２）が変形し、前記ロープ本体（５５２）が変形する間、前記ロープ本体（５５２）の各前記端部はそれぞれ前記制限リンクアセンブリ（５４）の前記ガイド溝（５４２）に沿って第２の溝部（５４８）から第１の溝部（５４７）に移動してそれぞれ前記ヘッドピース（５５１）を前記制限リンクアセンブリ（５４）に対して回転させ、
前記制限リンクアセンブリ（５４）の前記ガイド溝（５４２）の前記第１の溝部（５４７）は互いに向かい合わせに開口し、前記制限リンクアセンブリ（５４）のガイド溝（５４２）の第２の溝部（５４８）はベースシート（３１）に向かって開口し、
各前記制限リンクアセンブリ（５４）は、一端が前記ベースシート（３１）に枢結された制限リンク（５４３）と、前記制限リンク（５４３）に設置された設置シート（５４４）とを更に含み、各前記制限リンクアセンブリ（５４）の前記設置シート（５４４）は、前記制限リンクアセンブリ（５４）の前記ガイド溝（５４２）が形成された外表面を有し、各前記制限リンクアセンブリ（５４）の前記設置シート（５４４）及び前記制限リンク（５４３）が共同で前記制限リンクアセンブリ（５４）の前記保持スペース（５４１）を画成している、
歩行用ステッキチェアに用いられるロープガイド装置。
【請求項２】
各前記制限リンクアセンブリ（５４）において、前記設置シート（５４４）は前記制限リンク（５４３）に沿って移動可能である、請求項１に記載のロープガイド装置。
【請求項３】
各前記制限リンクアセンブリ（５４）の前記制限リンク（５４３）は第１のカップリング構造（５４５）を有し、各前記制限リンクアセンブリ（５４）の前記設置シート（５４４）は前記ベースシート（３１）に近接している第２のカップリング構造（５４６）を有し、各前記制限リンクアセンブリ（５４）において、前記第１と第２のカップリング構造（５４５、５４６）は互いに接合し、前記設置シート（５４４）は前記制限リンク（５４３）に固定設置されている、請求項１に記載のロープガイド装置。
【発明の詳細な説明】
【技術分野】
【０００１】
本発明は補強装置に関し、より詳しくは歩行用ステッキチェアに用いるロープガイド装置に関する。
【背景技術】
【０００２】
図１及び図２に示されているように、台湾特許第Ｉ４８００３８号に記載されている従来の歩行用ステッキチェア１は、メインステッキ１１と、連結ユニット１２と、着座ユニット１３と、脚ユニット１４とを含む。メインステッキ１１は、持ち手端と、持ち手端と反対の先端とを有する。連結ユニット１２は、メインステッキ１１に沿って移動可能で且つ持ち手端から先端に向かう方向に順に配置された第１、第２、第３のスライダー１２１、１２２、１２３を含む。着座ユニット１３は、第１のスライダー１２１に枢結された着座板１３１と、それぞれ第２のスライダー１２２と着座板１３１に枢結された２つの連結セット１３２とを含む。脚ユニット１４は、第２のスライダー１２２に枢結された２本の第１の脚１４１と、それぞれ各第１の脚１４１に枢結された２本の第２の脚１４２と、それぞれ第１のスライダー１２１と２本の第１の脚１４１の内の対応の１本とに枢結された２つの連結部材１４３と、それぞれ第３のスライダー１２３と２本の第２の脚１４２の内の対応の１本とに枢結された２本の補助脚１４４とを含む。
【０００３】
この従来の歩行用ステッキチェア１は、展開状態（図１参照）と折り畳み状態（図２）との間に変換するように操作できる。従来の歩行用ステッキチェア１が展開状態にある場合には、第２の脚１４２はメインステッキ１１から離れていて共にメインステッキ１１を地面に対して傾斜するように支持する。従来の歩行用ステッキチェア１が展開状態から折り畳み状態に変換された場合には、第１と第２のスライダー１２１、１２２が互いに離れるように動かされることで、連結セット１３２が折り畳まれて着座板１３１をメインステッキ１１に向かって旋回するように駆動し、そして各連結部材１４３が対応の第1の脚１４１、第２の脚１４２、補助脚１４４を折り畳まれるように駆動する。従来の歩行用ステッキチェア１が折り畳み状態にある場合には、それぞれの第１の脚１４１及び対応の第２の脚１４２が相互に折り畳まれてメインステッキ１１に接近し、そして連結セット１３２、連結部材１４３、補助脚１４４もメインステッキ１１に接近する。
【０００４】
従来の歩行用ステッキチェア１が利用者を支えるように展開状態にある場合には、２本の第１の脚１４１が所定の角度を成すが、これら２本の第１の脚１４１の間に形成される角度を制限するための補強構造は何ら設けられていない。そこで、もしも利用者が比較的重かったり、地面が滑りやすかったりすると、２本の第１の脚１４１の間に形成される角度が利用者による荷重によって広げられてしまいかねない。その結果、第２のスライダー１２２と第１の脚１４１の接合部において過大な変形や割れが生じるおそれがある。
【発明の概要】
【発明が解決しようとする課題】
【０００５】
そこで、本発明の目的は、上記従来技術における欠点を少なくとも１つ解決することができるロープガイド装置を提供することにある。
【課題を解決するための手段】
【０００６】
本発明によると、ロープガイド装置は、ベースシートと、２つの制限リンクアセンブリと、制限ロープとを含む。各前記制限リンクアセンブリは前記ベースシートに移動可能に接続されていると共に、その内にある保持スペースと、その外表面に形成されていて前記保持スペースと空間的に連通しているガイド溝とを有する。前記制限ロープは、それぞれ移動可能に前記制限リンクアセンブリの前記保持スペースに保持された２つのヘッドピースと、それぞれ前記制限リンクアセンブリの前記ガイド溝を通るように延伸していて且つそれぞれ前記ヘッドピースに接続されている互いに反対の２つの端部を有するロープ本体とを含む。各前記ヘッドピースは幅が各前記ガイド溝の幅及び前記ロープ本体の幅よりも大きく、かつそれぞれのヘッドピースが、対応する前記保持スペースの大きさよりも小さく保持スペース内において回転可能である。前記制限リンクアセンブリ同士が互いに向かって移動されると、前記制限リンクアセンブリが前記制限ロープの前記ヘッドピース同士を互いに向かって移動させることで前記ロープ本体を変形させる。前記ガイド溝は、第１の溝部と第２の溝部を有し、前記ロープ本体が変形する間、前記ロープ本体の各前記端部はそれぞれ前記制限リンクアセンブリの前記ガイド溝に沿って前記第２の溝部から前記第１の溝部に移動してそれぞれ前記ヘッドピースを前記制限リンクアセンブリに対して回転させる。 
【０００７】
本発明の他の特徴および利点は、添付の図面を参照する以下の実施形態の詳細な説明において明白になるであろう。
【図面の簡単な説明】
【０００８】
【図１】台湾特許第Ｉ４８００３８に記載の従来の歩行用ステッキチェアの展開状態を示す概略斜視図である。
【図２】上記従来の歩行用ステッキチェアの折り畳み状態を示す側面図である。
【図３】本発明に係る歩行用ステッキチェアの第１の実施形態の展開状態を示す概略斜視図である。
【図４】第１の実施形態でのロープガイド装置を示す概略部分斜視図である。
【図５】上記ロープガイド装置を示す部分分解斜視図である。
【図６】上記ロープガイド装置を示す概略部分断面図である。
【図７】第１の実施形態の折り畳み状態を示す概略斜視図である。
【図８】上記ロープガイド装置を示す他の概略部分斜視図である。
【図９】上記ロープガイド装置を示す他の概略部分断面図である。
【発明を実施するための形態】
【０００９】
本発明をより詳細に説明する前に、適切と考えられる場合において、符号又は符号の末端部は、同様の特性を有し得る対応の又は類似の要素を示すために各図面間で繰り返し用いられることに留意されたい。
【００１０】
図３を参照されたい。本発明に係る歩行用ステッキチェアの第１の実施形態は、メインステッキ２、連結ユニット３、着座ユニット４、脚ユニット５を含む。
【００１１】
メインステッキ２は、方向（Ｌ）に延伸していてその両端が持ち手端及び持ち手端と反対の先端になっている。
【００１２】
連結ユニット３は、メインステッキ２を囲うと共にメインステッキ２に沿って移動可能であるベースシート３１と、メインステッキ２を囲うと共にメインステッキ２に沿って移動可能であり、メインステッキ２の先端と反対のベースシート３１の一側に配置された第１のスライドシート３２と、メインステッキ２を囲うと共にメインステッキ２に沿って移動可能であり、第１のスライドシート３２とベースシート３１の間に配置された第２のスライドシート３３とを含む。
【００１３】
着座ユニット４は、第１のスライドシート３２に接続された着座板アセンブリ４１と、それぞれ両端が第２のスライドシート３３と着座板アセンブリ４１に枢結された２つの第１のリンク４２と、それぞれ両端が第１のスライドシート３２と対応する１つの第１のリンク４２に枢結された２つの第２のリンク４３とを含む。着座板アセンブリ４１は、第１のスライドシート３２に枢結された本体板４１１と、それぞれ本体板４１１の両方の側面側に枢結された２つの側板４１２とを含む。各第１のリンク４２は第２のスライドシート３３とは反対の端が着座板アセンブリ４１の対応の１つの側板４１２に枢結されている。
【００１４】
脚ユニット５は、それぞれ第２のスライドシート３３に枢結されている２本の第１の脚５１と、それぞれ対応の１本の第１の脚５１に枢結された２本の第２の脚５２と、それぞれ両端が第１のスライドシート３２と対応の１本の第１の脚５１とに枢結された２つの連結部材５３と、それぞれ両端がベースシート３１と対応の１本の第２の脚５２とに枢結された２つの制限リンクアセンブリ５４と、これら２つの制限リンクアセンブリ５４の間に接続された制限ロープ５５とを含む。
【００１５】
図４〜図６を参照されたい。各制限リンクアセンブリ５４は、その内に形成された保持スペース５４１（図６参照）と、その外表面に形成され、保持スペース５４１と空間的に連通しているガイド溝５４２（図５及び図６参照）と、両端がそれぞれベースシート３１及び対応の第２の脚５２に枢結された制限リンク５４３と、制限リンク５４３に設置されベースシート３１に近接している設置シート５４４とを有する。各制限リンクアセンブリ５４の制限リンク５４３は第１のカップリング構造５４５を有する。各制限リンクアセンブリ５４の設置シート５４４は、制限リンクアセンブリ５４のガイド溝５４２が形成された外表面と、ベースシート３１に近接している第２のカップリング構造５４６とを有する。各制限リンクアセンブリ５４において、設置シート５４４は第１と第２のカップリング構造５４５、５４６によって制限リンク５４３に固定設置されている。本実施形態において、第２のカップリング構造５４６はフックとして構成されている。各制限リンクアセンブリ５４の設置シート５４４と制限リンク５４３とは、共に制限リンクアセンブリ５４の保持スペース５４１を画成している。各制限リンクアセンブリ５４のガイド溝５４２は第１の溝部５４７と第２の溝部５４８とを有する（図５及び図６参照）。各制限リンクアセンブリ５４のガイド溝５４２の第１の溝部５４７は互いに向かい合わせに開口している。各制限リンクアセンブリ５４のガイド溝５４２の第２の溝部５４８はベースシート３１に向かって開口している。本実施形態において、各制限リンクアセンブリ５４の設置シート５４４は対応の制限リンク５４３を囲うこともある。
【００１６】
制限ロープ５５は、それぞれ移動可能に制限リンクアセンブリ５４の保持スペース５４１に保持された２つのヘッドピース５５１と、それぞれ制限リンクアセンブリ５４のガイド溝５４２を通るように延伸していて且つそれぞれヘッドピース５５１に接続されている互いに反対の２つの端部を有するロープ本体５５２とを含む。具体的には図５に示されているように、各ヘッドピース５５１の幅Ｄ１は各ガイド溝５４２の幅Ｄ２及びロープ本体５５２の幅Ｄ３よりも大きい。本実施形態において、ロープ本体５５２は鋼線ロープとして構成されている。
【００１７】
本実施形態においては、ベースシート３１と、制限リンクアセンブリ５４と、制限ロープ５５とが共同してロープガイド装置の役目を果たす。
【００１８】
本発明に係る歩行用ステッキチェアは、展開状態（図３、図４、図６参照）と折り畳み状態（図７〜図９参照）との間に変換するように操作できる。歩行用ステッキチェア１が展開状態にあるときには、第２のスライドシート３３は位置決めねじ（図示せず）によってメインステッキ２と相対するように位置決めされる。２本の第１の脚５１は共同してそれらの間に所定の角度を形成する。２本の第２の脚５２はメインステッキ２から離れていると共に、共同してメインステッキ２を地面に対して斜めになるように支える。各第１のリンク４２の両端の内の一方がメインステッキ２から離れて着座ユニット４の対応の１つの側板４１２を支えることにより、着座板アセンブリ４１が折り畳まれて本体板４１１と側板４１２とが同一平面上にあるようになる。このとき、２つの制限リンクアセンブリ５４の間に接続された制限ロープ５５は制限リンクアセンブリ５４のガイド溝５４２の第１の溝部５４７を通るように延伸すると共に、上述の第１の脚５１の間に形成された角度が広がることを防ぐように突っ張るので、第１の脚５１と第２のスライドシート３３の接合部において過大な変形や割れが生じることが防がれる。
【００１９】
歩行用ステッキチェア１が展開状態から折り畳み状態に変換されたときには、第１と第２のスライドシート３２、３３が互いに離れるように動かされることで、第１と第２のリンク４２、４３によって着座板アセンブリ４１が折り畳まれると共に、各連結部５３によって対応の第１と第２の脚５１、５２及び対応の制限リンクアセンブリ５４が折り畳まれる。歩行用ステッキチェアが展開状態から折り畳み状態に変換される間、制限リンクアセンブリ５４同士も互いに向かって移動する。
【００２０】
歩行用ステッキチェア１が折り畳み状態にあるときには、各第１の脚５１と対応の第２の脚５２とは相互に折り畳まれていると共にメインステッキ２に近接していて、また、連結部材５３と制限リンクアセンブリ５４もメインステッキ２に近接している。着座ユニット４の第１と第２のリンク４２、４３がメインステッキ２に近接すると共に着座板アセンブリ４１が折り畳まれることで、本体板４１１と側板４１２とがメインステッキ２を囲うように延在するＵ字型構造を成すようになる。
【００２１】
制限リンクアセンブリ５４同士が互いに向かって移動する間、制限ロープ５５のヘッドピース５５１同士が制限リンクアセンブリ５４によって互いに向かうように移動されることによって、ロープ本体５５２が変形する。ロープ本体５５２が変形する間、ロープ本体５５２の両方の端部がそれぞれ制限リンクアセンブリ５４のガイド溝５４２に沿って第２の溝部５４８に向かって移動してそれぞれ各ヘッドピース５５１を制限リンクアセンブリ５４に対して回転させることにより、ロープ本体５５２の両方の端部が対応のヘッドピース５５１に対して曲がってしまうことが防がれ、これにより制限ロープ５５の破損が防がれると共に、制限ロープ５５の構造強度が保たれる。歩行用ステッキチェアが折り畳み状態から展開状態に変換されたときには、制限リンクアセンブリ５４はそれぞれヘッドピース５５１によってロープ本体５５２の両方の端部をガイド溝５４２に沿って第２の溝部５４８から第１の溝部５４７に移動させ、これにより制限ロープ５５が弛緩状態（図８参照）から伸張状態（図４参照）になる。
【００２２】
本発明に係る歩行用ステッキチェアの利点を以下に挙げる。
【００２３】
１．展開された歩行用ステッキチェアに利用者が座った際に、第１の脚５１間に形成される角度を制限リンクアセンブリ５４と制限ロープ５５が協働して制限することによって、利用者が比較的重い又は地面が滑りやすい場合であっても、第１の脚５１と第２のスライドシート３３との接合箇所及びベースシート３１と制限リンクアセンブリ５４の制限リンク５４３との接合箇所が利用者からの荷重による重力の水平成分によって過大に変形したり割れてしまったりすることが防がれる。
【００２４】
２．各制限リンクアセンブリ５４は互いに向かって移動する間、制限ロープ５５の各ヘッドピース５５１を互いに向かって移動させるのでロープ本体５５２が変形する。ロープ本体５５２が変形する間、ロープ本体５５２の両端部がそれぞれ制限リンクアセンブリ５４のガイド溝５４２に沿って移動してそれぞれヘッドピース５５１を制限リンクアセンブリ５４に対して回転させる。これにより、ロープ本体５５２の両端部はそれぞれ対応のヘッドピース５５１に対して曲がってしまうことが防がれ、よって制限ロープ５５の破損が防がれると共に、制限ロープ５５の構造強度が保たれる。また、歩行用ステッキチェアが折り畳み状態にある際には、制限ロープ５５がＵ字状になると共に各制限リンクアセンブリ５４の間に保持されるので、歩行用ステッキチェアの他の構成に干渉することが防がれる。
【００２５】
３．制限ロープ５５のヘッドピース５５１を取り付けるための制限リンクアセンブリ５４の保持スペース５４１が設けられていることにより、制限リンクアセンブリ５４に孔を開けて、コストがかかる旋回構造を制限リンクアセンブリ５４と制限ロープ５５とを相互連結するために搭載する必要が無い。従って、本発明に係るロープガイド装置は比較的ローコストであり且つ安全である。
【００２６】
なお、本発明に係る歩行用ステッキチェアの構成は上述の実施形態に限定されない。例えば、各設置シート５４４が対応の制限リンク５４３に沿って移動可能となるように、各制限リンクアセンブリ５４の設置シート５４４の第２のカップリング構造５４６を省いてもよい。更に、制限リンクアセンブリ５４をそれぞれ第１の実施形態（図３参照）における第１の脚５１の替わりとして、歩行用ステッキチェアが展開状態にある際に各制限リンクアセンブリ５４の間に形成される角度を制限するために制限ロープ５５が各制限リンクアセンブリ５４の間に接続されるようにすることもできる。
【００２７】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、態様に組み込まれているが、これは本説明を合理化させるためのもので、また、本発明の多面性が理解されることを目的としたものである。
【図１】
0006336539.tif 000002
【図２】
0006336539.tif 000003
【図３】
0006336539.tif 000004
【図４】
0006336539.tif 000005
【図５】
0006336539.tif 000006
【図６】
0006336539.tif 000007
【図７】
0006336539.tif 000008
【図８】
0006336539.tif 000009
【図９】
0006336539.tif 000010